【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
・双性イオン性単位を含有する第１のポリマー（ＰＺ）；及び
・荷電した基を有し、前記第１のポリマー（ＰＺ）に結合し得る別のポリマー（Ｐ）：
を含有するポリマー組合せ物を含む、固体材料表面特性変性剤。
【請求項２】
処理される表面がポリマーをベースとする表面、ガラスをベースとする表面又は金属をベースとする表面である、請求項１に記載の変性剤。
【請求項３】
前記ポリマー（ＰＺ）中に存在するポリ双性イオン性単位が
（ｉ）少なくとも表面処理条件下において負電荷を有する少なくとも１個の基（Ｇ-）；及び
（ii）少なくとも表面処理条件下において正電荷を有する少なくとも１個の基（Ｇ+）：
を含み、前記の基（Ｇ-）及び（Ｇ+）を前記双性イオン性単位中の側鎖が有する、請求項１又は２に記載の変性剤。
【請求項４】
前記ポリマー（ＰＺ）が
・次の一般式（ＧＺN1）〜（ＧＺN6）に相当する一価の窒素含有双性イオン性基：
【化１】
2009528440.tif 000001
・次の一般式（ＧＺP1）及び（ＧＺP2）に相当する一価のリン含有双性イオン性基：
【化２】
2009528440.tif 000002
・次の一般式（ＧＺS1）及び（ＧＺS2）に相当する一価の硫黄含有双性イオン性基：
【化３】
2009528440.tif 000003
［ここで、式（ＧＺN1）〜（ＧＺN6）、（ＧＺP1）、（ＧＺP2）、（ＧＺS1）及び（ＧＺS2）中の各種の基は、次の意味を持つ：
・Ｒは１〜１５個の炭素原子を有し且つ随意に１個以上のヒドロキシル基で置換された直鎖状若しくは分岐鎖状アルキレン基又はベンジレン基を表わし、
・Ｒ1、Ｒ2、Ｒ5及びＲ7は同一であっても異なっていてもよく、それぞれ独立して１〜７個の炭素原子を有するアルキル基を表わし、
・Ｒ3及びＲ4は窒素原子と一緒になって窒素含有ヘテロ環（随意に１個以上の他のヘテロ原子を含むもの）を形成し、
・Ｒ6は窒素原子と一緒になって窒素含有ヘテロ環（随意に１個以上の他のヘテロ原子を含むもの）を形成し、
・ＡはＳ(＝Ｏ)(＝Ｏ)、ＯＰ(＝Ｏ)(Ｏ)、ＯＰ(＝Ｏ)(ＯＲ')、Ｐ(＝Ｏ)(ＯＲ')又はＰ(＝Ｏ)(Ｒ')二価基を表わし、ここで、Ｒ'は１〜７個の炭素原子を有するアルキル基又はフェニル基を表わし、
・Ａ'は二価基−Ｏ−Ｐ(＝Ｏ)−Ｏ−を表わし、
・Ｗ(-)は次式：
【化４】
2009528440.tif 000004
の内の１つに相当するエテノレート官能基を表わす］
から選択される少なくとも１個の一価基を側鎖として含有する双性イオン性単位を含む、請求項１〜３のいずれかに記載の変性剤。
【請求項５】
前記ポリマー（ＰＺ）が双性イオン性単位の繰返しのみをベースとし、他のタイプの単位を持たないものである、請求項１〜４のいずれかに記載の変性剤。
【請求項６】
前記ポリマー（ＰＺ）が双性イオン性単位に加えて、中性単位、即ち元来中性の単位若しくは表面処理条件下において非イオノゲン性の単位、及び／又はイオン性単位から選択されるその他の単位を含むものである、請求項１〜４のいずれかに記載の変性剤。
【請求項７】
前記ポリマー（ＰＺ）において双性イオン性単位／全ポリマー単位のモル比が少なくとも５０％である、請求項１〜６のいずれかに記載の変性剤。
【請求項８】
前記ポリマー（ＰＺ）が、それ以下ではポリマー（ＰＺ）が水に不溶であり、それ以上ではポリマー（ＰＺ）が水溶性になる臨界温度Ｔcを有し、この臨界温度Ｔcが０〜１００℃の範囲である、請求項１〜７のいずれかに記載の変性剤。
【請求項９】
前記ポリマー（ＰＺ）が３０００〜５００００００ｇ／モルの重量平均分子量を有する、請求項１〜８のいずれかに記載の変性剤。
【請求項１０】
前記ポリマー（ＰＺ）が、次のポリマー：
・前記の式（ＧＺN1）においてＡがＳ(＝Ｏ)(＝Ｏ)基を表わすものに相当する側基を含むベタイン単位の鎖によって形成されたホモポリマー若しくはコポリマー、及び／又は
・２−ビニルピリジンから誘導された次式のスルホベタインのホモポリマー
【化５】
2009528440.tif 000005
又はそれらの混合物から選択されるポリ双性イオン性ポリマーである、請求項１〜９のいずれかに記載の変性剤。
【請求項１１】
前記ポリマー（ＰＺ）が次式（−ＳＰＥ−）及び（−ＳＰＰ−）：
【化６】
2009528440.tif 000006
に相当するベタインの鎖によって形成されるホモポリマー又はコポリマーから選択される双性イオン性ポリマーである、請求項１０に記載の変性剤。
【請求項１２】
前記ポリマー（ＰＺ）が、その双性イオン性単位がカチオン性基よりアクセスしやすいアニオン性基を有するポリマー（ＰＺ(+)-）であり；そしてポリマー（Ｐ）が、カチオン性基を有するカチオン性ポリマー（Ｐ+）である、請求項１〜１１のいずれかに記載の変性剤。
【請求項１３】
前記ポリマー（ＰＺ(+)-）がその双性イオン性単位において請求項４に記載の式（ＧＺN1）、（ＧＺN2）、（ＧＺN3）、（ＧＺN4）、（ＧＺN5）、（ＧＺP1）及び／又は（ＧＺS1）に相当する双性イオン性基を含む、請求項１２に記載の変性剤。
【請求項１４】
前記ポリマー（ＰＺ）が、その双性イオン性単位がアニオン性基よりアクセスしやすいカチオン性基を有するポリマー（ＰＺ(-)+）であり；そしてポリマー（Ｐ）が、アニオン性基を有するアニオン性ポリマー（Ｐ-）である、請求項１〜１１のいずれかに記載の変性剤。
【請求項１５】
前記ポリマー（ＰＺ(-)+）がそのポリ双性イオン性単位において請求項４に記載の式（ＧＺN6）、（ＧＺP2）及び／又は（ＧＺS2）に相当する双性イオン性基を含む、請求項１４に記載の変性剤。
【請求項１６】
ポリマー（Ｐ）が有する荷電した単位の量対ポリマー（ＰＺ）が有する双性イオン性単位の量の比が０．１〜１０である、請求項１〜１５のいずれかに記載の変性剤。
【請求項１７】
前記ポリマー組合せ物が、
・前記ポリマー（ＰＺ）、
・カチオン性基を有するカチオン性ポリマー（Ｐ+）、及び
・アニオン性基を有するアニオン性ポリマー（Ｐ-）
を含む、請求項１〜１６のいずれかに記載の変性剤。
【請求項１８】
固体材料の表面の親水性を調節するための、請求項１〜１７のいずれかに記載の変性剤。
【請求項１９】
本来疎水性の表面の、水による濡れ性を高めるための、請求項１８に記載の変性剤。
【請求項２０】
疎水性プラスチックファイバーをベースとする材料の水に対する親和性を改善するため；本来疎水性の表面への水性組成物の付着を可能にし若しくはその付着効率を高めるため；水で洗われた本来疎水性の表面の乾燥を促進するため；又は本来疎水性の表面の汚染を防止するため：の請求項１９に記載の変性剤。
【請求項２１】
本来親水性の表面の、水による濡れ性を下げるための、請求項１８に記載の変性剤。
【請求項２２】
固体材料の表面がフィルム形成性又は粘着性組成物の付着物を受け取り且つ／又は保持する能力を変性するための、請求項１〜１７のいずれかに記載の変性剤。
【請求項２３】
前記ポリマー（ＰＺ）及び（Ｐ）の組合せ物が活性成分を含み、この活性成分が被処理表面に固定される、請求項１〜１７のいずれかに記載の変性剤。
【請求項２４】
請求項１〜１７のいずれかに記載のポリマー（ＰＺ）及び（Ｐ）の組合せ物を含有する組成物を表面に付着させることを含む、固体材料の表面の処理方法。
【請求項２５】
前記組成物が、溶剤媒体内に前記ポリマー組合せ物を１ｐｐｍ〜１０００００ｐｐｍのポリマー組合せ物重量濃度で含有する、請求項２４に記載の方法。
【請求項２６】
請求項２４又は２５に記載の方法によって得られる変性された表面を有する固体材料。
【請求項２７】
請求項２４又は２５に記載の方法を実施するために利用可能な、
・少なくとも１種のスルホベタイン又はカルボキシベタイン双性イオン性単位をベースとし、総電荷が０又は０以外である、双性イオン性ポリマー（ＰＺ）；及び
・少なくとも１種のカチオン性ポリマー（Ｐ+）：
を含む、ポリマー組合せ物。
【請求項２８】
請求項２４又は２５に記載の方法を実施するために利用可能な、
・少なくとも１種のホスホベタイン双性イオン性単位をベースとし、総電荷が０である双性イオン性ポリマー（ＰＺ）；及び
・少なくとも１種のアニオン性ポリマー（Ｐ-）：
を含む、ポリマー組合せ物。
【請求項２９】
請求項２４又は２５に記載の方法を実施するために利用可能な、
・少なくとも１種のホスホベタイン双性イオン性単位をベースとし、総電荷が０である双性イオン性ポリマー（ＰＺ）；及び
・少なくとも１種のカチオン性ポリマー（Ｐ+）；及び
・少なくとも１種のアニオン性ポリマー（Ｐ-）：
を含む、ポリマー組合せ物。
【手続補正２】
【補正対象書類名】明細書
【補正対象項目名】００７０
【補正方法】変更
【補正の内容】
【００７０】
これらのアニオン性単位に加えて、ポリマー（Ｐ-）は随意に他の単位、例えば以下のものを含むことができる：
・中性単位（即ち元来中性の単位（ＮＥ）又は使用条件下で非イオノゲン性（ＮＩ）の単位）；
・随意としてのカチオン性単位（この場合、好ましくは、カチオン性単位／アニオン性単位のモル比が５０％未満、好ましくは４０％未満、例えば３０％未満であるせいで、ポリマー（Ｐ-）が負の総電荷を有するのが有利である）。